(57)【要約】【課題】電線ケーブルなどの線材をカーブしたり、蛇行して配線する場合にも、そのカーブや蛇行に合わせて簡単に曲げることができ、その線材を収納部内に収納して保護することができる線材保護カバーを提供する。【解決手段】線材収納部１を内部の中央に設け、挿入部２を片側に有し、挿入体３をもう片側に有したものとし、前記挿入部２に一対の遊嵌合孔４を設け、前記挿入体３に前記遊嵌合孔４に遊嵌合する一対の突起５を設けた単位カバー中間体Ａを備えたものとし、一方の単位カバー中間体Ａの挿入部２に他方の単位カバー中間体Ａの挿入体３を挿入すると共に、一方の単位カバー中間体Ａの一対の遊嵌合孔４に、他方の単位カバー中間体Ａの一対の突起５を遊嵌合して、単位カバー中間体Ａの複数個を連結したものとしている。【選択図】図７
2015106959.tif 000002
【特許請求の範囲】
【請求項１】
線材収納部（１）を内部の中央に設け、挿入部（２）を片側に有し、挿入体（３）をもう片側に有したものとし、前記挿入部（２）に一対の遊嵌合孔（４）を設け、前記挿入体（３）に前記遊嵌合孔（４）に遊嵌合する一対の突起（５）を設けた単位カバー中間体（Ａ）を備えたものとし、一方の単位カバー中間体（Ａ）の挿入部（２）に他方の単位カバー中間体Ａの挿入体（３）を挿入すると共に、一方の単位カバー中間体（Ａ）の一対の遊嵌合孔（４）に、他方の単位カバー中間体（Ａ）の一対の突起（５）を遊嵌合して、単位カバー中間体（Ａ）の複数個を連結したことを特徴とする線材保護カバー。
【請求項２】
線材収納部（１１）を内部の中央に設け、挿入部（１２）を有したものとし、この挿入部（１２）に一対の遊嵌合孔（１４）を設けた第一カバー端末体（Ｂ）を備えたものとし、前記第一カバー端末体（Ｂ）の挿入部（１２）に、前記単位カバー中間体（Ａ）の複数個を連結したものの一端に位置する単位カバー中間体（Ａ）の挿入体（３）を挿入すると共に、この第一カバー端末体（Ｂ）の一対の遊嵌合孔（１４）に、前記一端に位置する単位カバー中間体（Ａ）の一対の突起（５）を遊嵌合して、この単位カバー中間体（Ａ）に第一カバー端末体（Ｂ）を連結したことを特徴とする請求項１記載の線材保護カバー。
【請求項３】
線材収納部（１７）を内部の中央に設け、挿入体（１３）を有したものとし、この挿入体（１３）の底面部（１３ａ）に突起（１５）を設けた第二カバー端末体（Ｃ）を備えたものとし、前記第二カバー端末体（Ｃ）の挿入体（１３）を、前記単位カバー中間体（Ａ）の複数個を連結したものの一端に位置する単位カバー中間体（Ａ）の挿入部（２）に挿入すると共に、前記第二カバー端末体（Ｃ）の突起（１５）によって、前記一端に位置する単位カバー中間体（Ａ）の挿入部（２）に挿入した後に抜けないようにして、この単位カバー中間体（Ａ）に第二カバー端末体（Ｃ）を連結したことを特徴とする請求項１記載の線材保護カバー。
【請求項４】
前記単位カバー中間体（Ａ）の一対の遊嵌合孔（４）の外端部（４ａ）間の距離（Ｌａ）が、前記一対の突起（５）の外端部（５ａ）間の距離（Ｌｘ）より長く、前記一対の遊嵌合孔（４）の内端部（４ｂ）間の距離（Ｌｂ）が、前記一対の突起（５）の内端部（５ｂ）間の距離（Ｌｙ）より短くなるように形成していることを特徴とする請求項１記載の線材保護カバー。
【請求項５】
前記単位カバー中間体（Ａ）の突起（５）を円柱形状とし、この突起（５）の直径（ｄ）を、前記遊嵌合孔（４）の長さ方向における孔径（Ｄ１ ）の１／３倍以下の長さとし、前記遊嵌合孔（４）の幅方向における孔径（Ｄ２ ）の１／２倍以下の長さとしていることを特徴とする請求項１記載の線材保護カバー。
【発明の詳細な説明】
【技術分野】
【０００１】
この発明は、家屋またはビル、一般事務所や展示会場の床面、建設現場や道路の地面等に配線する電線、ケーブル、チューブなどの線材を保護するために使用される線材保護カバーに関するものである。
【背景技術】
【０００２】
従来、この種の線材保護カバーは、例えば図１２に示したように、カバー本体３１に、電線ケーブルなどの線材の収納部３２ａと、この収納部３２ａに連通すると共に底面３３側に開口するスリット３２ｂとからなる電線ケーブルの収納部３２を一個または複数個、設けたものとしている。そして、前記カバー本体３１は、硬質合成樹脂よりなる側部材３４、３４と、合成ゴムまたは軟質合成樹脂よりなる天部材３５とからなるものとしている。さらに、前記側部材３４、３４は、それぞれ外方向に下る緩勾配面３４ａを有するものとしており、それぞれの上部を天部材３５の両端に一体として連結することにより、前記カバー本体３１が低い山形に形成されるようにしている（特許文献１）。
【０００３】
このようにした従来の線材保護カバーは、側部材３４が硬質合成樹脂よりなるので、強度性に優れたものとなり、さらに天部材３５が軟質合成樹脂よりなるので、この天部材３５湾曲させれば、スリット３２ｂを拡開させることができ、これによりスリット３２ｂから電線ケーブルなどの電線を収納部３２内に収納することができ、電線ケーブルなどの線材の敷設が簡単にしかも素早くできるものとしている。
【０００４】
また、この種の線材保護カバーは、例えば図１３に示したように、電線、ケーブル、チューブなどの線材の収納部４１を長尺の軟質性本体４２の長さ方向に設けたものとしている。この軟質性本体４２は、断面形状を三角状の低い山形状としており、上面４２ａの頂部ｔの左右に緩い勾配面ｓ、ｓを有したもとしている。さらに、この軟質性本体４２の上面４２ａ側および底面４２ｂ側の長さ方向に、前記収納部４１に向かって弱め部４３を設けたものとしている。そして、この弱め部４３は、切断または破断することにより、前記収納部４１に連通するスリット部（図示せず）が形成されるようにしている（特許文献２）。
【０００５】
このようにした従来の線材保護カバーは、前端または後端から線材を直接差し込んだり、弱め部４３を切断したり、破断して形成したスリット部から線材を差し込むことによって、軟質性本体４２の収納部４１に収納し、軟質性本体４２の底面４２ｂに貼着剤を塗布したり、両面貼着テープにより、家屋またはビル、一般事務所や展示会場の床面等へ貼着しておくことができるものとしている。
【先行技術文献】
【特許文献】
【０００６】
【特許文献１】特開２００５−２７４４８号公報
【特許文献２】特開２００６−１５８１１７号公報
【発明の概要】
【発明が解決しようとする課題】
【０００７】
しかしながら、上記従来の線材保護カバーは、電線ケーブルなどの線材を直線状に配線する場合には、その線材を収納部内に収納して保護することができるが、電線ケーブルなどの線材をカーブしたり、蛇行して配線する場合には、そのカーブや蛇行に合わせて曲げて収納することができず、保護することができないという問題点を有していた。
【０００８】
さらに、上記従来の線材保護カバーは、押出成形により製造されていた。押出成形は、長い物体を連続的に製造するため、成形条件が一定になるように各種の制御をしなければ、均一な品質の製品を大量に生産することができず、低コスト化がはかれないという問題点を有していた。
【０００９】
そこで、この発明は、上記従来の線材保護カバーの問題点を解決することを目的としており、電線ケーブルなどの線材をカーブしたり、蛇行して配線する場合にも、そのカーブや蛇行に合わせて簡単に曲げて、その線材を収納部内に収納して保護することができ、さらにカバーを長い物体として連続的に製造するのではなく、複数の単位部材に分割して、その単位部材をそれぞれ射出成形により製造することができるようにして、均一な品質の製品を大量に生産することができ、低コスト化がはかれる線材保護カバーを提供することを目的としてなされたものである。
【課題を解決するための手段】
【００１０】
そのため、この発明の線材保護カバーは、線材収納部１を内部の中央に設け、挿入部２を片側に有し、挿入体３をもう片側に有したものとし、前記挿入部２に一対の遊嵌合孔４を設け、前記挿入体３に前記遊嵌合孔４に遊嵌合する一対の突起５を設けた単位カバー中間体Ａを備えたものとし、一方の単位カバー中間体Ａの挿入部２に他方の単位カバー中間体Ａの挿入体３を挿入すると共に、一方の単位カバー中間体Ａの一対の遊嵌合孔４に、他方の単位カバー中間体Ａの一対の突起５を遊嵌合して、単位カバー中間体Ａの複数個を連結したものとしている。
【００１１】
さらに、この発明の線材保護カバーは、線材収納部１１を内部の中央に設け、挿入部１２を有したものとし、この挿入部１２に一対の遊嵌合孔１４を設けた第一カバー端末体Ｂを備えたものとし、前記第一カバー端末体Ｂの挿入部１２に、前記単位カバー中間体Ａの複数個を連結したものの一端に位置する単位カバー中間体Ａの挿入体３を挿入すると共に、この第一カバー端末体Ｂの一対の遊嵌合孔１４に、前記一端に位置する単位カバー中間体Ａの一対の突起５を遊嵌合して、この単位カバー中間体Ａに第一カバー端末体Ｂを連結したものとしている。
【００１２】
また、この発明の線材保護カバーは、線材収納部１７を内部の中央に設け、挿入体１３を有したものとし、この挿入体１３の底面部１３ａに突起１５を設けた第二カバー端末体Ｃを備えたものとし、前記第二カバー端末体Ｃの挿入体１３を、前記単位カバー中間体Ａの複数個を連結したものの一端に位置する単位カバー中間体Ａの挿入部２に挿入すると共に、前記第二カバー端末体Ｃの突起１５によって、前記一端に位置する単位カバー中間体Ａの挿入部２に挿入した後に抜けないようにして、この単位カバー中間体Ａに第二カバー端末体Ｃを連結したものとしている。
【００１３】
そして、この発明の線材保護カバーにおいて、前記単位カバー中間体Ａの一対の遊嵌合孔４の外端部４ａ間の距離Ｌａが、前記一対の突起５の外端部５ａ間の距離Ｌｘより長く、前記一対の遊嵌合孔４の内端部４ｂ間の距離Ｌｂが、前記一対の突起５の内端部５ｂ間の距離Ｌｙより短くなるように形成している。
【００１４】
さらに、この発明の線材保護カバーにおいて、前記単位カバー中間体Ａの突起５を円柱形状とし、この突起５の直径ｄを、前記遊嵌合孔４の長さ方向における孔径Ｄ１ の１／３倍以下の長さとし、前記遊嵌合孔４の幅方向における孔径Ｄ２ の１／２倍以下の長さとしている。
【発明の効果】
【００１５】
この発明の線材保護カバーは、以上に述べたように構成されており、電線ケーブルなどの線材をカーブしたり、蛇行して配線する場合にも、そのカーブや蛇行に合わせて簡単に曲げることができ、その線材を収納部内に収納して保護することができるものとなった。
【００１６】
さらに、この発明の線材保護カバーは、単位カバー中間体Ａ、第一カバー端末体Ｂ、第二カバー端末体Ｃの複数の単位部材に分割したので、その単位部材をそれぞれ射出成形により製造することができるようになり、均一な品質の製品を大量に生産することができ、低コスト化がはかれるものとなった。
【００１７】
また、この発明の線材保護カバーは、従来のように押出成形された長尺のカバーを切断するのではなく、単位カバー中間体Ａの複数個を連結することにより長さ調節が容易に行えるものとなった。
【図面の簡単な説明】
【００１８】
【図１】この発明の線材保護カバーの平面図である。
【図２】この発明の線材保護カバーの底面図である。
【図３】この発明の線材保護カバーの図２中の円ａで囲んだ部分の拡大図である。
【図４】この発明の線材保護カバーの図２中の円ｂで囲んだ部分の拡大図である。
【図５】この発明の線材保護カバーの図２中の円ｃで囲んだ部分の拡大図である。
【図６】この発明の線材保護カバーの単位カバー中間体、第一カバー端末体、第二カバー端末体を平面側から見た斜視図である。
【図７】この発明の線材保護カバーの単位カバー中間体、第一カバー端末体、第二カバー端末体を底面側から見た斜視図である。
【図８】この発明の線材保護カバーの単位カバー中間体の底面図である。
【図９】この発明の線材保護カバーの単位カバー中間体どうしを連結した状態の底面図である。
【図１０】この発明の線材保護カバーの第一カバー端末体の底面図である。
【図１１】この発明の線材保護カバーの第二カバー端末体の底面図である。
【図１２】従来の線材保護カバーの一例を示す斜視図である。
【図１３】従来の線材保護カバーの他の例を示す斜視図である。
【発明を実施するための形態】
【００１９】
以下、この発明の線材保護カバーを実施するための形態を、図面に基づいて詳細に説明する。
【００２０】
この発明の線材保護カバーは、図１、２に示したように、単位カバー中間体Ａの複数個を連結し、その複数個を連結したものの一端に第一カバー端末体Ｂを連結し、前記複数個を連結したもののもう一端に第二カバー端末体Ｃを連結してなるものとしている。
【００２１】
また、この発明の線材保護カバーは、前記単位カバー中間体Ａの一個と第一カバー端末体Ｂの一個を連結したもの、または前記単位カバー中間体Ａ、第一カバー端末体Ｂおよび第二カバー端末体Ｃのそれぞれ一個を連結してなるものとすることもできる。
【００２２】
単位カバー中間体Ａは、合成ゴムや軟質合成樹脂等からなり、下面側を開口させた線材収納部１を内部の中央に設け、断面形状を低い山形状としており、床面や地面等に敷いた場合に引っ掛かりにくく、乗り越えやすいようにしている。なお、前記線材収納部１は、図示したものでは、単位カバー中間体Ａの内部の中央に縦長状に一つ設けたものとしているが、複数個設けたものとしてもよい。
【００２３】
さらに、前記単位カバー中間体Ａは、挿入部２を片側に有し、挿入体３をもう片側に有したものとし、挿入部２の底面部２ａの外端寄りには前記線材収納部１の両側に一対の遊嵌合孔４を設け、挿入体３の底面部３ａの外端寄りには前記遊嵌合孔４に遊嵌合する一対の突起５を設けたものとしている。また、前記挿入部２と挿入体３の間には、必要に応じて、複数段の補強リブ体６を設けている。なお、前記突起５は、挿入体３の底面部３ａに一体として設けても、別体として設けてもよい。
【００２４】
そして、前記単位カバー中間体Ａは、一方の単位カバー中間体Ａの挿入部２に他方の単位カバー中間体Ａの挿入体３を挿入すると共に、一方の単位カバー中間体Ａの一対の遊嵌合孔４に、他方の単位カバー中間体Ａの一対の突起５を遊嵌合して、単位カバー中間体Ａの複数個を連結したものとしている。なお、一方の単位カバー中間体Ａの挿入部２に他方の単位カバー中間体Ａの挿入体３を挿入するには、両者間に隙間を開けないで（遊びをもたせないで）挿入してもよいが、隙間を開けて（遊びをもたせて）挿入することもできる。
【００２５】
第一カバー端末体Ｂは、合成ゴムや軟質合成樹脂等からなり、下面側を開口させた線材収納部１１を内部の中央に設け、前記単位カバー中間体Ａと同様に、断面形状を低い山形状としており、床面や地面等に敷いた場合に引っ掛かりにくく、乗り越えやすいようにしている。なお、前記線材収納部１１は、図示したものでは、第一カバー端末体Ｂの内部の中央に縦長状に一つ設けたものとしているが、前記単位カバー中間体Ａの線材収納部１を複数個設けたものとした場合は、前記線材収納部１１も複数個設けたものとするのはいうまでもない。
【００２６】
さらに、前記第一カバー端末体Ｂは、挿入部１２を有したものとし、この挿入部１２の底面部１２ａの外端寄りには前記線材収納部１１の両側に一対の遊嵌合孔１４を設けたものとしている。なお、前記挿入部１２に一端部には、必要に応じて、複数段の補強リブ体１６を設けている。
【００２７】
そして、第一カバー端末体Ｂは、前記挿入部１２に、前記単位カバー中間体Ａの複数個を連結したものの一端に位置する単位カバー中間体Ａの挿入体３を挿入すると共に、この第一カバー端末体Ｂの一対の遊嵌合孔１４に、前記一端に位置する単位カバー中間体Ａの一対の突起５を遊嵌合して、この単位カバー中間体Ａに第一カバー端末体Ｂを連結したものとしている。
【００２８】
第二カバー端末体Ｃは、合成ゴムや軟質合成樹脂等からなり、下面側を開口させた線材収納部１７を内部の中央に設け、単位カバー中間体Ａの挿入部２に丁度、挿入しておける形状としている。なお、前記線材収納部１７は、図示したものでは、第二カバー端末体Ｃの内部の中央に縦長状に一つ設けたものとしているが、前記単位カバー中間体Ａの線材収納部１を複数個設けたものとした場合は、前記線材収納部１７も複数個設けたものとするのはいうまでもない。
【００２９】
さらに、前記第二カバー端末体Ｃは、挿入体１３を有したものとし、この挿入体１３の底面部１３ａの外端寄りには前記単位カバー中間体Ａの遊嵌合孔４に係合、遊嵌合または嵌合して、単位カバー中間体Ａの挿入部２に挿入した後に抜けないようにするための突起１５を設けたものとしている。この突起１５は、少なくとも一対（図示したものでは二対）の小円柱形状として、前記遊嵌合孔４の孔周囲に接触するようにして係合するものとしている。さらに、前記突起１５は、前記遊嵌合孔４に隙間なく嵌合するものであれば、底面部１３ａの外端寄りの一方に一個だけ設けたものとすればよいが、この場合も底面部１３ａの外端寄りの両方に一対として設けたものとしたほうが、前記第二カバー端末体Ｃが単位カバー中間体Ａの挿入部２に挿入した後により抜け難いものとなる。なお、前記突起１５は、挿入体１３の底面部１３ａに一体として設けても、別体として設けてもよい。
【００３０】
そして、第二カバー端末体Ｃは、前記挿入体１３を、前記単位カバー中間体Ａの複数個を連結したもののもう一端に位置する単位カバー中間体Ａの挿入部２に挿入すると共に、この第二カバー端末体Ｃの一対の突起１５を、前記一端に位置する単位カバー中間体Ａの一対の遊嵌合孔４に遊嵌合して、この単位カバー中間体Ａに第二カバー端末体Ｃを連結したものとしている。
【００３１】
前記単位カバー中間体Ａの線材収納部１、第一カバー端末体Ｂの線材収納部１１および第二カバー端末体Ｃの線材収納部１７は、配線した線材が収納できる形状であればどのような形状であってもよいが、例えば、下部や上部を開放した半円筒形としたり、円筒孔形や角筒孔形としたり、円筒孔形や角筒孔形の下部や上部の長さ方向にスリットを形成したものなどとすることができる。このようにスリットを形成したものは、単位カバー中間体Ａ、第一カバー端末体Ｂおよび第二カバー端末体Ｃが、合成ゴムや軟質合成樹脂からなる場合にはそのスリットを開くことができ、スリットを開いた状態でそれぞれの線材収納部１、１１、１７に線材を収納してから、スリットを閉じておくことができる。
【００３２】
前記単位カバー中間体Ａの遊嵌合孔４は、図８に示したように、角を丸めた三角形の一辺を湾曲状に凹ませたような形状としており、一対の遊嵌合孔４の外端部４ａ間の距離Ｌａが、前記一対の突起５の外端部５ａ間の距離Ｌｘより長く、前記一対の遊嵌合孔４の内端部４ｂ間の距離Ｌｂが、前記一対の突起５の内端部５ｂ間の距離Ｌｙより短くなるように形成している。
【００３３】
前記単位カバー中間体Ａの突起５は、図８に示したように、円柱形状としており、直径ｄを、前記遊嵌合孔４の長さ方向における孔径Ｄ１ の１／３倍以下の長さとし、前記遊嵌合孔４の幅方向における孔径Ｄ２ の１／２倍以下の長さとしている。
【００３４】
前記単位カバー中間体Ａの遊嵌合孔４および突起５をこのような構成にすることにより、複数個を連結した単位カバー中間体Ａは、電線ケーブルなどの線材をカーブしたり、蛇行して配線する場合にも、そのカーブや蛇行に合わせて十分に曲げることができるものとなる。
【００３５】
すなわち、複数個を連結した単位カバー中間体Ａは、図９に示したように、一対の遊嵌合孔４の一方の外側辺Ｓ１ に沿って、この外側辺Ｓ１ の一端から他端まで一対の突起５の一方を移動させると共に、前記遊嵌合孔４の他方の内側辺Ｓ２ に沿って、この内側辺Ｓ２ の一端から他端まで前記突起５の他方を移動させるようにすれば、配線した線材のカーブや蛇行に合わせて滑らかに曲げることができる。なお、前記遊嵌合孔４の外側辺Ｓ１ や内側辺Ｓ２ に沿って、前記突起５を移動させなくても、前記遊嵌合孔４内で前記突起５を自由に移動させることにより、複数個を連結した単位カバー中間体Ａは、配線した線材のカーブや蛇行に合わせて曲げることもできる。
【００３６】
また、前記第一カバー端末体Ｂの遊嵌合孔１４や第二カバー端末体Ｃの突起１５も、図９や図１０に示したように、前記単位カバー中間体Ａの嵌合孔４や突起５とそれぞれ同様に形成している。
【００３７】
なお、前記第一カバー端末体Ｂや第二カバー端末体Ｃは、複数個を連結した単位カバー中間体Ａの端末を綺麗にみせたり、補強したりするものであり、この発明の線材保護カバーにおいて必須のものではない。
【００３８】
次に、この発明の線材保護カバーの製造方法について説明すると、この発明の線材保護カバーは、上記したように単位カバー中間体Ａ、第一カバー端末体Ｂ、第二カバー端末体Ｃの複数の単位部材に分割したものとしているので、長い物体を連続的に製造するような押出成形ではなく、射出成形によって製造される。射出成形は、比較的複雑な形状のものでも精度よくつくることができる。したがって、上記したような単位カバー中間体Ａ、第一カバー端末体Ｂ、第二カバー端末体Ｃの単位部材の成形には適しており、しかも早いサイクルで成形できるので、均一な品質の製品を大量に生産することができ、低コスト化がはかれるものとなる。
【００３９】
以上のように構成されたこの発明の線材保護カバーは、以下のようにして使用することにより、床面や地面等に配線する電線ケーブル、チューブなどの線材を保護する。
【００４０】
先ず、家屋またはビル、一般事務所や展示会場の床面、建設現場や道路の地面等に、電線、ケーブル、チューブなどの線材を配線する。
【００４１】
そこで、前記配線した線材が直線状であれば、この発明の線材保護カバーを直線状態にしたまま、その配線した線材が、複数個を連結した単位カバー中間体Ａの線材収納部１のそれぞれに入り込むようにして、線材保護カバーをその配線した線材の上から被せればよい。そして、必要に応じて、前記単位カバー中間体Ａの挿入部２の底面部２ａに、貼着剤を塗布したり、両面貼着テープにより、前記単位カバー中間体Ａを床面等へ貼着しておけばよい。なお、前記単位カバー中間体Ａの複数個を連結したものの一端に位置する単位カバー中間体Ａに第一カバー端末体Ｂを連結したものとした場合には、この第一カバー端末体Ｂの挿入部１２の底面部１２ａにも、貼着剤を塗布したり、両面貼着テープにより、前記第一カバー端末体Ｂを床面等へ貼着しておける。
【００４２】
次に、前記配線した線材がカーブしたり、蛇行した状態であれば、この発明の線材保護カバーをそのカーブしたり、蛇行した状態に合わせて、カーブさせたり、蛇行させた状態にして、その配線した線材が、複数個を連結した単位カバー中間体Ａの線材収納部１のそれぞれに入り込むようにして、線材保護カバーをその配線した線材の上から被せればよい。そして、必要に応じて、前記したのと同様、単位カバー中間体Ａの挿入部２の底面部２ａに、貼着剤を塗布したり、両面貼着テープにより、前記単位カバー中間体Ａを床面等へ貼着しておけばよい。
【００４３】
この場合、複数個を連結した単位カバー中間体Ａの挿入部２から挿入体３を引き出すと共に、その挿入体３に設けられた突起を、挿入部３に設けられた遊嵌合孔４内で移動させながら、前記単位カバー中間体Ａをカーブさせたり、蛇行させた状態にすればよい。なお、この場合も、前記単位カバー中間体Ａの複数個を連結したものの一端に位置する単位カバー中間体Ａに第一カバー端末体Ｂを連結したものとした場合には、前記したのと同様にして、第一カバー端末体Ｂを床面等へ貼着しておける。
【００４４】
さらに、この発明の線材保護カバーは、線材を配線する床面や地面等が起伏していたり、波打っていたりする場合にも、前記単位カバー中間体Ａが合成ゴムや軟質合成樹脂等からなっていたり、単位カバー中間体Ａの挿入部２に他方の単位カバー中間体Ａの挿入体３を、隙間を開けて（遊びをもたせて）挿入するようにしている場合には、複数個を連結した単位カバー中間体Ａがその床面や地面等の起伏や波形状に応じて曲がるので、その床面や地面等から浮き上がることなく、その床面や地面等に沿って配設することができる。
【００４５】
以上に述べたようにこの発明の線材保護カバーは、家屋またはビル、一般事務所や展示会場の床面、建設現場や道路の地面等に配線する電線、ケーブル、チューブなどの線材がカーブしたり、蛇行している場合にも、そのカーブや蛇行に合わせて簡単に曲げることができ、その線材を線材収納部内に収納して保護することができるものとなる。
【００４６】
さらに、この発明の線材保護カバーは、カバーの構成部材を単位カバー中間体Ａ、第一カバー端末体Ｂ、第二カバー端末体Ｃの複数の単位部材に分割し、その単位部材をそれぞれ射出成形により製造することができるようになったので、均一な品質の製品を大量に生産することができ、低コスト化がはかれるものとなった。
【００４７】
また、この発明の線材保護カバーは、前記単位カバー中間体Ａの複数個を連結することにより長さ調節が容易に行えるものとなった。
【００４８】
なお、この発明の線材保護カバーは、配線されている線材が非常に短い場合等には、前記単位カバー中間体Ａの一個と第一カバー端末体Ｂの一個を連結したもの、または前記単位カバー中間体Ａ、第一カバー端末体Ｂおよび第二カバー端末体Ｃのそれぞれ一個を連結したものを使用することができる。
【符号の説明】
【００４９】
１  線材収納部
２  挿入部
３  挿入体
４  遊嵌合孔
４ａ  外端部
４ｂ  内端部
５  突起
５ａ  外端部
５ｂ  内端部
１１  線材収納部
１２  挿入部
１３  挿入体
１４  遊嵌合孔
１５  突起
１７  線材収納部
Ａ  単位カバー中間体
Ｂ  第一カバー端末体
Ｃ  第二カバー端末体
【図１】
2015106959.tif 000003
【図２】
2015106959.tif 000004
【図３】
2015106959.tif 000005
【図４】
2015106959.tif 000006
【図５】
2015106959.tif 000007
【図６】
2015106959.tif 000008
【図７】
2015106959.tif 000009
【図８】
2015106959.tif 000010
【図９】
2015106959.tif 000011
【図１０】
2015106959.tif 000012
【図１１】
2015106959.tif 000013
【図１２】
2015106959.tif 000014
【図１３】
2015106959.tif 000015